【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
車両フロア及びシートの一方に固定される第１レールと、
前記車両フロア及び前記シートの他方に固定され、前記第１レールに対し相対移動可能に連結された第２レールであって、該第２レールの長手方向に対して直交する幅方向に並設された一対の側壁部、及び前記第１レールに車両高さ方向で対向するように配置され該第１レールから離隔する前記両側壁部の基端同士を連結する連結壁部を有するとともに、長手方向の一端に位置する第１端を有する第２レールと、
前記第１レール及び前記第２レールの相対移動を選択的に規制及び許容する係止部材と、
前記第２レール内に長手方向に沿って挿入されて前記係止部材に連係されるとともに、付勢部材により前記第２レール内に設けられた支持壁部に当接するように弾性的に保持される操作部材であって、前記支持壁部との当接部を支点に前記付勢部材の付勢力に抗して前記第２レールの前記第１端における前記連結壁部に近づくように回動されることで前記相対移動の規制を解除する操作力を前記係止部材に伝達可能な操作部材と、
前記第２レールの前記第１端に装着されて該第１端を閉塞するカバーとを備え、
前記カバーは、前記支持壁部に係合され前記操作部材に押圧された際の前記カバーの回動を規制する係止片を有することを特徴とする車両用シートスライド装置。
【請求項２】
請求項１に記載の車両用シートスライド装置において、
前記カバーは、前記一対の側壁部に対応する部位において前記操作部材と対向する対向面と、該対向面から突出するように設けられるとともに、前記第２レールに対する前記操作部材の挿入方向に交差する方向に延在して該操作部材に圧接する摺動部とを備えたことを特徴とする車両用シートスライド装置。
【請求項３】
請求項１又は２に記載の車両用シートスライド装置において、
前記カバーは前記連結壁部に対応する部位において前記操作部材と対向する対向面を有し、前記対向面は、該操作部材が前記カバーを押圧する際の前記操作部材の傾斜角度と同じ角度に設定された傾斜面を有することを特徴とする車両用シートスライド装置。
【請求項４】
請求項１〜３のいずれか一項に記載の車両用シートスライド装置において、
前記支持壁部は、前記操作部材を挟んで幅方向に向かい合う一対の側縁を有し、
前記カバーは、幅方向外側に向かって突出して前記両側縁に係止される一対の係止爪を有することを特徴とする車両用シートスライド装置。
【請求項５】
車両フロア及びシートの一方に固定される第１レールと、
前記車両フロア及び前記シートの他方に固定され、前記第１レールに対し相対移動可能に連結された第２レールであって、該第２レールの長手方向に対して直交する幅方向に並設された一対の側壁部、及び前記第１レールと車両高さ方向で対向するように配置され該第１レールから離隔する前記両側壁部の基端同士を連結する連結壁部を有するとともに、長手方向の一端に位置する第１端を有する第２レールと、
前記第１レール及び前記第２レールの相対移動を選択的に規制及び許容する係止部材と、
前記第２レール内に長手方向に沿って挿入されて前記係止部材に連係されるとともに、付勢部材により前記第２レール内に設けられた支持壁部に当接するように弾性的に保持される操作部材であって、前記支持壁部との当接部を支点に前記付勢部材の付勢力に抗して前記第２レールの前記第１端における前記連結壁部に近づくように回動することで前記相対移動の規制を解除する操作力を前記係止部材に伝達可能な操作部材と、
前記第２レールの前記第１端に装着されて該第１端を閉塞するカバーとを備え、
該カバーは、前記一対の側壁部に対応する部位において前記操作部材と対向する対向面と、前記対向面から突出するとともに前記第２レールに対する前記操作部材の挿入方向に交差する方向に延在して該操作部材に圧接する摺動ビードとを有することを特徴とする車両用シートスライド装置。
【手続補正２】
【補正対象書類名】明細書
【補正対象項目名】０００６
【補正方法】変更
【補正の内容】
【０００６】
上記問題点を解決するために、請求項１に記載の発明は、車両フロア及びシートの一方に固定される第１レールと、前記車両フロア及び前記シートの他方に固定され、前記第１レールに対し相対移動可能に連結された第２レールであって、該第２レールの長手方向に対して直交する幅方向に並設された一対の側壁部、及び前記第１レールに車両高さ方向で対向するように配置され該第１レールから離隔する前記両側壁部の基端同士を連結する連結壁部を有するとともに、長手方向の一端に位置する第１端を有する第２レールと、前記第１レール及び前記第２レールの相対移動を選択的に規制及び許容する係止部材と、前記第２レール内に長手方向に沿って挿入されて前記係止部材に連係されるとともに、付勢部材により前記第２レール内に設けられた支持壁部に当接するように弾性的に保持される操作部材であって、前記支持壁部との当接部を支点に前記付勢部材の付勢力に抗して前記第２レールの前記第１端における前記連結壁部に近づくように回動されることで前記相対移動の規制を解除する操作力を前記係止部材に伝達可能な操作部材と、前記第２レールの前記第１端に装着されて該第１端を閉塞するカバーとを備え、前記カバーは、前記支持壁部に係合され前記操作部材に押圧された際の前記カバーの回動を規制する係止片を有することを要旨とする。
【手続補正３】
【補正対象書類名】明細書
【補正対象項目名】０００７
【補正方法】変更
【補正の内容】
【０００７】
同構成によれば、前記第２レールの前記第１端には、該第１端を閉塞する前記カバーが装着されていることで、前記第１端の露出を抑制して該第１端が直に周辺部品と干渉等することを回避できる。また、例えば車両振動などで前記支持壁部と当接する部位を支点に前記操作部材が揺動した際、該操作部材は、前記第１端の前記連結壁部に近づいた際に前記カバーに当接することになるため、例えば前記第１端に直に当接する場合に比べて異音の発生を抑制することができる。さらに、前記付勢部材の付勢力に抗して前記操作部材を回動させて、前記係止部材に対し前記第１レール及び前記第２レールの相対移動の規制を解除する操作力を伝達する際、前記操作部材により前記カバーが押圧されたとしても、該押圧に伴う前記カバーの回動が前記係止片によって規制される。従って、前記カバーの回動に起因する該カバーの前記第１端からの外れを抑制することができる。つまり、前記カバーは、前記操作部材を当接させることで異音対策を実現しながらも、前記操作部材により前記カバーが押圧された際の該カバーの前記第１端からの外れ対策を前記係止片によって併せて実現している。
【手続補正４】
【補正対象書類名】明細書
【補正対象項目名】０００８
【補正方法】変更
【補正の内容】
【０００８】
請求項２に記載の発明は、請求項１に記載の車両用シートスライド装置において、前記カバーは、前記一対の側壁部に対応する部位において前記操作部材と対向する対向面と、該対向面から突出するように設けられるとともに、前記第２レールに対する前記操作部材の挿入方向に交差する方向に延在して該操作部材に圧接する摺動部とを備えたことを要旨とする。
【手続補正５】
【補正対象書類名】明細書
【補正対象項目名】００１０
【補正方法】変更
【補正の内容】
【００１０】
請求項３に記載の発明は、請求項１又は２に記載の車両用シートスライド装置において、前記カバーは前記連結壁部に対応する部位において前記操作部材と対向する対向面を有し、前記対向面は、該操作部材が前記カバーを押圧する際の前記操作部材の傾斜角度と同じ角度に設定された傾斜面を有することを要旨とする。
【手続補正６】
【補正対象書類名】明細書
【補正対象項目名】００１１
【補正方法】変更
【補正の内容】
【００１１】
同構成によれば、前記操作部材がその回動に伴い前記カバーを押圧する際、前記操作部材は、その際の傾斜角度に設定された前記カバーの前記傾斜面を押圧することになり、前記カバーとの当接部における荷重を分散させることができる。従って、前記カバーが前記操作部材から集中的な荷重で押圧されることを回避でき、前記カバーの変形等を抑制することができる。
請求項４に記載の発明は、請求項１〜３のいずれか一項に記載の車両用シートスライド装置において、前記支持壁部は、前記操作部材を挟んで幅方向に向かい合う一対の側縁を有し、前記カバーは、幅方向外側に向かって突出して前記両側縁に係止される一対の係止爪を有することを要旨とする。
同構成によれば、前記カバーは、前記両係止爪が前記支持壁部の前記両側縁に係止されることで、前記第１レール及び前記第２レールの相対移動方向で抜け止めすることができる。
請求項５記載の発明は、車両フロア及びシートの一方に固定される第１レールと、前記車両フロア及び前記シートの他方に固定され、前記第１レールに対し相対移動可能に連結された第２レールであって、該第２レールの長手方向に対して直交する幅方向に並設された一対の側壁部、及び前記第１レールと車両高さ方向で対向するように配置され該第１レールから離隔する前記両側壁部の基端同士を連結する連結壁部を有するとともに、長手方向の一端に位置する第１端を有する第２レールと、前記第１レール及び前記第２レールの相対移動を選択的に規制及び許容する係止部材と、前記第２レール内に長手方向に沿って挿入されて前記係止部材に連係されるとともに、付勢部材により前記第２レール内に設けられた支持壁部に当接するように弾性的に保持される操作部材であって、前記支持壁部との当接部を支点に前記付勢部材の付勢力に抗して前記第２レールの前記第１端における前記連結壁部に近づくように回動されることで前記相対移動の規制を解除する操作力を前記係止部材に伝達可能な操作部材と、前記第２レール前記第１端に装着されて該第１端を閉塞するカバーとを備え、該カバーは、前記一対の側壁部に対応する部位において前記操作部材と対向する対向面と、前記対向面から突出するとともに前記第２レールに対する前記操作部材の挿入方向に交差する方向に延在して該操作部材に圧接する摺動ビードとを有することを要旨とする。
同構成によれば、前記カバーの装着された前記第２レール内に挿入された前記操作部材は、前記摺動ビードが圧接することで幅方向に位置決めされる。従って、前記操作部材に集中して接触する前記摺動ビードで、前記操作部材をより安定した状態で幅方向に位置決めしながらも、解除操作時の摺動抵抗の増大を抑制することができる。
【手続補正７】
【補正対象書類名】明細書
【補正対象項目名】００４９
【補正方法】変更
【補正の内容】
【００４９】
・前記実施形態において、ロアレール３及びアッパレール４と、車両フロア２及びシート５の固定関係（即ち上下の配置関係）は逆であってもよい。
【手続補正８】
【補正対象書類名】明細書
【補正対象項目名】００５０
【補正方法】削除
【補正の内容】
【手続補正９】
【補正対象書類名】明細書
【補正対象項目名】００５１
【補正方法】削除
【補正の内容】